(57)【要約】【課題】アイロンにおいて、小型で使い勝手の良いアイロンを提供するものである。【解決手段】ヒータ部４により加熱される円形のベース２を覆うように配設されたベースカバー５の上方に中間カバー６と半球状の表面カバー３を設ける構造を有する小型化可能なアイロン１において、中間カバー６を設けることによりベース２から表面カバー３までの間の空気層が３層となり、使用者の掌に伝導するベースの熱を緩和できることから使い勝手の良いアイロン１を提供するものである。【選択図】  図１
2004275374.tif 000002
【特許請求の範囲】
【請求項１】
ヒータにより加熱される円形のベースと、前記ベースの上方を覆うように配設されたベースカバーと、前記ベースカバーを覆うように配設した表面カバーを具備し、前記表面カバーの形状を半球状とすることを特徴とするアイロン。
【請求項２】
ベースカバーの上方に中間カバーを配設し表面カバーを前記ベースカバーと前記中間カバーを覆うことにより、ベースから前記表面カバーまでの間の空気層が３層となることを特徴とした請求項１記載のアイロン。
【請求項３】
表面カバーに一対の把持部を形成した請求項１記載のアイロン。
【請求項４】
把持部を表面カバーの全周に環状に形成した請求項３記載のアイロン。
【発明の詳細な説明】
【０００１】
【発明の属する技術分野】
本発明は、アイロンに関するものである。
【０００２】
【従来の技術】
従来のこの種のアイロンは、埋設したヒータにより加熱される略三角形状のベースと、ベースの上面側を覆うベースカバーと、ベースカバー上に設置した把手体を固定し、把手体の上部には内部を中空にした棒状の握り部を形成している（例えば特許文献１参照。）。
【０００３】
【特許文献１】
特開２００１−１７８９９８号公報
【０００４】
【発明が解決しようとする課題】
しかしながら、上記従来のアイロンではベースカバー上に把手体を固定し、把手体の上部には内部を中空にした棒状の握り部を形成しており、アイロン本体の小型化には構造上の限界があった。
【０００５】
本発明は、上記構造上の限界を克服しアイロン本体の小型化を実現すると共に、使い勝手の良いアイロンを提供するものである。
【０００６】
【課題を解決するための手段】
上記課題を解決するために本発明は、ヒータにより加熱される円形のベースと、前記ベースの上方を覆うように配設されたベースカバーと、前記ベースカバーを覆うように配設した表面カバーを具備し、表面カバーの形状を半球状とすることを特徴とするものであり、従来のような棒状の握り部を持つことなくアイロン掛けができ、且つ物置に収納することなくそのまま部屋に放置しても部屋のインテリアに調和する等の使い勝手の良いアイロンを提供するものである。
【０００７】
【発明の実施の形態】
上記の目的を達成するために本発明は、ヒータにより加熱される円形のベースと、前記ベースの上方を覆うように配設されたベースカバーと、前記ベースカバーを覆うように配設した表面カバーを具備し、表面カバーの形状を半球状とすることを特徴とするものであり、把手を持つことなくアイロン掛けができ、且つ物置に収納することなくそのまま部屋に放置しても部屋のインテリアに調和する等の使い勝手の良いアイロンを提供するものである。
【０００８】
また、ベースカバーの上方に中間カバーを配設し、表面カバーを前記ベースカバーと前記中間カバーを覆うことにより、ベースから前記表面カバーまでの間の空気層が３層となることを特徴としたものであり、中間カバーを設けることにより使用者の掌に伝導するベースの熱を緩和するものである。
【０００９】
また、表面カバーに一対の把持部を形成したものであり、使用者にとって保持しやすいだけでなく、表面カバーの表面積が広くなり熱の発散効率がよくなることや、使用者の掌と接触する面積が少なくなることから、体感する熱さを軽減できるものである。
【００１０】
また、表面カバーに把持部を表面カバーの全周に環状に形成したものであり、使用者にとって保持しやすいだけでなく、使用者は方向性を気にせずどの方向からも保持してアイロン掛けができるので、操作性が向上する。
【００１１】
【実施例】
以下、本発明の実施例について図面を参照しながら説明する。
【００１２】
図１は本実施例のアイロン１であり、円形のベース２と半球状の表面カバー３を有し、従来の把手体と表面カバーとを一体化したことを特徴としたものであり、アイロン本体の小型化を実現するものである。
【００１３】
即ち、その構成は円形状のベース２の上に略円形状のヒータ部４、略円形状のベースカバー５、半球状の中間カバー６、半球状の表面カバー３を順に同軸上に重ねたものである。なお、表面カバー３と中間カバー６は、耐熱性を有するプラスチックを用いている。
【００１４】
ヒータ部４は、図２に示すように、ヒータ脇マイカ７、マイカに熱線を巻き付けたヒータ巻きマイカ８、ヒータ押え板９により構成されており、ベース２の上にヒータ脇マイカ７、ヒータ巻きマイカ８、ヒータ脇マイカ７、ヒータ押え板９の順に積み上げられている。そして、ヒータ押え板９の上には、アイロン１の加熱温度の制御するサーモスタット１０と、ベース２への加熱温度に応じて電力の供給を断つ温度ヒューズ１１、ベース２が暖められる時などの通電時に点灯するランプ１２が備えられている。
【００１５】
また、ベースカバー５の上にはベースカバー５を覆う半球状の中間カバー６とプラグ受け部１３が設けられており、プラグ受け部１３には電源供給を行うマグネットプラグ１４が着脱可能である。
【００１６】
半球形状をしたアイロン１に於ては、従来のような棒状の握り部はなく、使用者は表面カバー３を掌に当てながら作業を行う。また、ベース２が円形であることや表面カバー３が半球状であることから、使用者はアイロン１を掛ける際に方向性を気にする必要がなく、握り部がないことから力の弱い子供やお年寄りにとって使い易いアイロン１を提供できる。
【００１７】
しかしながら、本実施例のアイロン１では高熱を有するベース２と使用者の掌との距離が接近している構造であり、使用時間が長引くほど表面カバー３が高い温度を有するという問題が生じる。使用者が安全にアイロン掛けが行えるよう、加熱温度の上限を１５０℃としており、ベース２への加熱温度が１５０℃を越えると温度ヒューズ１１により電力供給が断たれるように設計してあるが、更に使用者が体感する熱さを軽減する必要がある。
【００１８】
そこで本実施例は、ベースカバー５と表面カバー３の間に中間カバー６を設け、かつ、ベースカバー５と中間カバー６の間および中間カバー６と表面カバー３の間に、端部の接触部を除いて空気層を形成するように配設することにより、熱源であるベース２から使用者が接触する表面カバー３までの間に３重の空気層を形成する。その結果、ベース２からの熱は、中間カバー６およびそれぞれの空気層による断熱効果により、使用者に伝導する熱を緩和できる。
【００１９】
図３（ａ）及び図３（ｂ）は表面カバー３に一対の把持部１５を形成したものを示している。これは、使用者にとって表面カバー３が持ちやすくなるだけでなく、把持部１５を指で掴んで持つことにより、使用者の掌がすべて表面カバー３に触れることなく作業できるので、体感する熱が軽減されるといった効果がある。
【００２０】
図３では把持部として凹部を形成したが、凸部であっても本発明に影響を及ぼすものではない。
【００２１】
また、図４（ａ）及び図４（ｂ）に示すように、把持部１５として表面カバーの全周に環状の溝を形成してもよく、使用者はアイロン１の方向性を気にせず作業が行えるので、操作性が向上する。なお、図４では凹環状を形成しているが、凸環状を形成しても勿論本発明に影響を及ぼすものではない。
【００２２】
表面カバー３の形状に関しては、表面カバー３の表面に凹凸を設けることによりアイロン１が保持しやすくなる。従って、上記に挙げた形状以外にも表面カバー３の全面に凹凸を設けることや、使用者が握りやすいように指の位置に対応して凹凸を設けるような形状や、凸部と凹部を使用した形状等であっても、本発明の実施に影響を及ぼすものではない。
【００２３】
【発明の効果】
以上のように本発明によれば、ヒータにより加熱される円形のベースと、前記ベースを覆うように配設されたベースカバーと、前記ベースカバーの上方に配設された中間カバーと、前記ベースカバーと中間カバーを覆うように配設した半球状の表面カバーを具備し、ベースから表面カバーまでの間の空気層が３層となることを特徴とするアイロンであり、中間カバーを設けることにより使用者の掌に伝導するベースの熱を緩和するものである。
【図面の簡単な説明】
【図１】本発明の実施例を示すアイロンの横断面図
【図２】同アイロンのヒータ部の横断面図
【図３】表面カバーに凹部を設けた同アイロンの横断面図
【図４】表面カバーに凹環状を設けた同アイロンの横断面図
【符号の説明】
１  アイロン
２  ベース
３  表面カバー
４  ヒータ部
５  ベースカバー
６  中間カバー
７  ヒータ脇マイカ
８  ヒータ巻きマイカ
９  ヒータ押え板
１０  サーモスタット
１１  温度ヒューズ
１２  ランプ
１３  プラグ受け部
１４  マグネットプラグ
１５  把持部
【図１】
2004275374.tif 000003
【図２】
2004275374.tif 000004
【図３】
2004275374.tif 000005
【図４】
2004275374.tif 000006